(57)【要約】【課題】複数の鉛蓄電池を接続する際の作業性の向上が図れる接続部材及び接続方法を提供する。【解決手段】接続部材２０は、互いに対向する一対の側部２０ａ，２０ｂと、一対の側部２０ａ，２０ｂのそれぞれの一端を連結する連結部２０ｃと、一対の側部２０ａ，２０ｂの少なくとも一方に設けられ、当該側部２０ａ，２０ｂの内面から突出する突出部２０ｄ，２０ｅと、を備える。【選択図】図６
2019096512.tif 000002
【特許請求の範囲】
【請求項１】
貫通穴が設けられた端子を有する鉛蓄電池を複数接続する場合において、一方の前記鉛蓄電池の前記端子と他方の前記鉛蓄電池の前記端子とを、２つの貫通穴が設けられた接続部によって電気的に接続するときに用いる接続部材であって、
互いに対向する一対の側部と、
一対の前記側部のそれぞれの一端を連結する連結部と、
一対の前記側部の少なくとも一方に設けられ、当該側部の内面から他方の前記側部に向かって突出する突出部と、を備える、接続部材。
【請求項２】
前記突出部は、一対の前記側部のそれぞれに設けられている、請求項１に記載の接続部材。
【請求項３】
前記突出部のそれぞれは、同じ形状を呈している、請求項２に記載の接続部材。
【請求項４】
前記突出部における前記内面から頂部まで長さは、前記接続部の前記貫通穴が貫通する当該接続部の厚みよりも長い、請求項１〜３のいずれか一項に記載の接続部材。
【請求項５】
貫通穴が設けられた端子を有する鉛蓄電池を複数接続する場合において、一方の前記鉛蓄電池の前記端子と他方の前記鉛蓄電池の前記端子とを、２つの貫通穴が設けられた接続部によって電気的に接続するときに接続部材を用いて接続する方法であって、
前記接続部材は、互いに対向する一対の側部と、一対の前記側部のそれぞれの一端を連結する連結部と、一対の前記側部の少なくとも一方に設けられ、当該側部の内面から他方の前記側部に向かって突出する突出部と、を備えており、
一対の前記側部によって前記端子及び前記接続部を挟持すると共に、前記突出部を前記端子の前記貫通穴及び前記接続部の前記貫通穴の少なくとも一方に位置させる、接続方法。
【発明の詳細な説明】
【技術分野】
【０００１】
本発明は、鉛蓄電池同士を接続する接続部材及び接続方法に関する。
【背景技術】
【０００２】
電池ユニット（組電池）は、複数の鉛蓄電池が電気的に接続されて構成されている（例えば、特許文献１参照）。電池ユニットを構成する場合には、一方の鉛蓄電池の端子と他方の鉛蓄電池の端子とを、接続部（バスバー）によって電気的に接続する。鉛蓄電池の端子及び接続部のそれぞれには、貫通穴が設けられている。端子と接続部とを接続する場合には、ボルト及びナットを用意し、端子の貫通穴と接続部の貫通穴とが重なるように接続部を配置する。その後、それぞれの貫通穴にボルトを挿入してナットを取り付け、ボルトとナットとで端子と接続部とを締め付ける。
【先行技術文献】
【特許文献】
【０００３】
【特許文献１】特開２０１３−２１１１１３号公報
【発明の概要】
【発明が解決しようとする課題】
【０００４】
上述のように、従来は、ボルト及びナットを用いて、端子と接続部とを締め付けることにより、端子と接続部とを電気的に接続している。ボルト及びナットは、振動等の原因によって外れるおそれがある。そのため、端子と接続部とを接続する際には、ボルトとナットとを所定のトルクで締め付ける必要があり、トルクレンチ等の管理を十分に行う必要がある。また、複数の蓄電池を接続する場合、ボルトとナットとの締め付けが十分に行われなかったり、締め付け漏れが発生したりし得る。したがって、従来の方法は、作業性が良くなかった。
【０００５】
本発明の一側面は、複数の鉛蓄電池を接続する際の作業性の向上が図れる接続部材及び接続方法を提供することを目的とする。
【課題を解決するための手段】
【０００６】
本発明の一側面に係る接続部材は、貫通穴が設けられた端子を有する鉛蓄電池を複数接続する場合において、一方の鉛蓄電池の端子と他方の鉛蓄電池の端子とを、２つの貫通穴が設けられた接続部によって電気的に接続するときに用いる接続部材であって、互いに対向する一対の側部と、一対の側部のそれぞれの一端を連結する連結部と、一対の側部の少なくとも一方に設けられ、当該側部の内面から他方の側部に向かって突出する突出部と、を備える。
【０００７】
本発明の一側面に係る接続部材は、連結部によって連結された一対の側部を備える。これにより、接続部材は、一対の側部によって端子及び接続部を挟持できる。鉛蓄電池同士を接続する場合には、端子の貫通穴と接続部の貫通穴との位置を合わせる。そして、一対の側部で端子と接続部と挟むように、接続部材を取り付ける。これにより、接続部材は、端子と接続部とを接続（固定）する。また、接続部材は、側部の内面から突出する突出部を備える。接続部材では、側部に設けられた突出部を、端子及び接続部の少なくとも一方の貫通穴に位置させる。これにより、接続部材が端子及び接続部から外れることを抑制できる。このように、接続部材では、ボルト及びナットを用いなくとも、端子及び接続部に対して装着する作業により、端子と接続部とを接続できる。したがって、接続部材では、複数の鉛蓄電池を接続する際の作業性の向上が図れる。
【０００８】
一実施形態においては、突出部は、一対の側部のそれぞれに設けられていてもよい。この構成では、端子と接続部とをより確実に接続することができると共に、接続部材が外れることをより一層防止できる。
【０００９】
一実施形態においては、突出部のそれぞれは、同じ形状を呈していてもよい。この構成では、接続部材を取り付けるときに、接続部材の向きを考慮する必要がない。そのため、接続部材の取り付けを容易に行うことができる。
【００１０】
一実施形態においては、突出部における内面から頂部まで長さは、接続部の貫通穴が貫通する当該接続部の厚みよりも長くてもよい。この構成では、突出部が接続部と端子とにわたって位置する。そのため、端子と接続部との位置のずれ等を突出部によって抑制できる。
【００１１】
本発明の一側面に係る接続方法は、貫通穴が設けられた端子を有する鉛蓄電池を複数接続する場合において、一方の鉛蓄電池の端子と他方の鉛蓄電池の端子とを、２つの貫通穴が設けられた接続部によって電気的に接続するときに接続部材を用いて接続する方法であって、接続部材は、互いに対向する一対の側部と、一対の側部のそれぞれの一端を連結する連結部と、一対の側部の少なくとも一方に設けられ、当該側部の内面から他方の側部に向かって突出する突出部と、を備えており、一対の側部によって端子及び接続部を挟持すると共に、突出部を端子の貫通穴及び接続部の貫通穴の少なくとも一方に位置させる。
【００１２】
本発明の一側面に係る接続方法では、接続部材の一対の側部によって端子及び接続部を挟持する。鉛蓄電池同士を接続する場合には、端子の貫通穴と接続部の貫通穴との位置を合わせる。そして、一対の側部で端子と接続部と挟むように、接続部材を取り付ける。これにより、接続部材は、端子と接続部とを接続（固定）する。また、側部に設けられた突出部を、端子及び接続部の少なくとも一方の貫通穴に位置させる。これにより、接続部材が端子及び接続部から外れることを抑制できる。このように、接続部材を用いた接続方法では、ボルト及びナットを用いなくとも、端子及び接続部に対して装着する作業により、端子と接続部とを接続できる。したがって、接続方法では、複数の鉛蓄電池を接続する際の作業性の向上が図れる。
【発明の効果】
【００１３】
本発明の一側面によれば、鉛蓄電池同士の接続する際の作業性の向上が図れる。
【図面の簡単な説明】
【００１４】
【図１】図１は、一実施形態に係る接続部材によって接続された電池ユニットを示す斜視図である。
【図２】図２は、接続部材を用いた鉛蓄電池の接続方法を説明するための図である。
【図３】図３は、接続部材を用いた鉛蓄電池の接続方法を説明するための図である。
【図４】図４は、接続部材を用いた鉛蓄電池の接続方法を説明するための図である。
【図５】図５（ａ）は、接続部材を示す斜視図、図５（ｂ）は、図５（ａ）におけるｂ−ｂ線に沿った断面図であり、図５（ｃ）は、接続部材を下から見た図である。
【図６】図６は、接続部材により接続された端子と接続部との断面構成を示す図である。
【図７】図７は、接続部材により接続された端子と接続部との断面構成を示す図である。
【図８】図８は、変形例に係る接続部材により接続された端子と接続部との断面構成を示す図である。
【図９】図９は、カバーが装着された接続部材により接続された端子と接続部との断面構成を示す図である。
【図１０】図１０（ａ）は、カバーを示す斜視図であり、図１０（ｂ）は、図１０（ｂ）におけるｂ−ｂ線に沿った断面図であり、図１０（ｃ）は、カバーを下から見た図である。
【図１１】図１１（ａ）及び図１１（ｂ）は、カバーの取り付け方法を示す図である。
【図１２】図１２（ａ）、図１２（ｂ）、図１２（ｃ）及び図１２（ｄ）は、変形例に係る接続部材を示す断面図である。
【発明を実施するための形態】
【００１５】
以下、添付図面を参照して、本発明の好適な実施形態について詳細に説明する。なお、図面の説明において同一又は相当要素には同一符号を付し、重複する説明は省略する。
【００１６】
図１示されるように、電池ユニット１００は、複数（本実施形態では２個）の鉛蓄電池１により構成されている。本実施形態では、鉛蓄電池１は、制御弁式鉛蓄電池である。鉛蓄電池１の正極及び負極は、例えば板部材（正極板及び負極板）である。鉛蓄電池１の基本構成としては、従来の鉛蓄電池と同様の構成を用いることができる。
【００１７】
各鉛蓄電池１は、本体３と、第１端子５と、第２端子７と、制御弁９と、を有する。本体３には、蓋３Ａが設けられている。本体３内には、正極と、負極と、セパレータと、が収容されており、電解液が充填されている。
【００１８】
第１端子５は、正極に電気的に接続されている。第１端子５は、例えば、正極端子である。第１端子５は、本体３の蓋３Ａに配置されている。具体的には、第１端子５は、長方形状を呈する蓋３Ａの長手方向の一端側であり、且つ、短手方向の一端側に配置されている。図２に示されるように、第１端子５には、貫通穴５ａが設けられている。貫通穴５ａは、第１端子５を厚み方向に貫通している。
【００１９】
第２端子７は、負極に電気的に接続されている。第２端子７は、例えば、負極端子である。図１に示されるように、第２端子７は、本体３の蓋３Ａに配置されている。具体的には、第２端子７は、長方形状を呈する蓋３Ａの長手方向の他端側であり、且つ、短手方向の他端側に配置されている。すなわち、第２端子７は、蓋３Ａにおいて、第１端子５と対角の位置に配置されている。図２に示されるように、第２端子７には、貫通穴７ａが設けられている。貫通穴７ａは、第２端子７を厚み方向に貫通している。
【００２０】
制御弁９は、蓋３Ａの中央部に配置されている。
【００２１】
図１に示されるように、一方の鉛蓄電池１と他方の鉛蓄電池１とは、接続部１０によって電気的に接続されている。接続部１０は、導電性を有する板部材（バスバー）である。図３に示されるように、接続部１０には、２つの貫通穴１０ａ，１０ｂが設けられている。貫通穴１０ａ，１０ｂは、接続部１０の長手方向に延びる長穴である。貫通穴１０ａは、接続部１０の長手方向に一端に配置されている。貫通穴１０ｂは、接続部１０の長手方向の他端に配置されている。
【００２２】
第１端子５と接続部１０とは、接続部材２０によって接続されている。第２端子７と接続部１０とは、接続部材２０によって接続されている。
【００２３】
図５（ａ）、図５（ｂ）及び図５（ｃ）に示されるように、接続部材２０は、第１側部２０ａと、第２側部２０ｂと、連結部２０ｃと、第１突出部２０ｄと、第２突出部２０ｅと、を有している。接続部材２０は、例えば、金属、樹脂等で形成されている。
【００２４】
第１側部２０ａ及び第２側部２０ｂは、板状の部材である。第１側部２０ａ及び第２側部２０ｂとは、互いに対向している。連結部２０ｃは、板状の部材である。第１側部２０ａと第２側部２０ｂと連結している。連結部２０ｃは、第１側部２０ａのＺ方向の一端と第２側部２０ｂのＺ方向の一端とを連結している。図５（ｂ）に示されるように、連結部２０ｃと第１側部２０ａとが成す角度θ１は、例えば、９０°である。連結部２０ｃと第２側部２０ｂとが成す角度θ２は、例えば、９０°である。角度θ１，θ２は、９０°以下であることが好ましい。
【００２５】
第１突出部２０ｄは、第１側部２０ａに設けられている。第１突出部２０ｄは、第１側部２０ａの内面２１ａから突出している。内面２１ａは、第２側部２０ｂと対向する面である。第１突出部２０ｄは、内面２１ａから第２側部２０ｂに向かって突出している。図５（ｂ）に示されるように、第１突出部２０ｄは、第１側部２０ａのＺ方向の他端側に配置されている。図５（ｃ）で示されるように、第１突出部２０ｄは、第１側部２０ａのＹ方向の中央部に配置されている。本実施形態では、第１突出部２０ｄは、半球状を呈している。
【００２６】
第２突出部２０ｅは、第２側部２０ｂに設けられている。第２突出部２０ｅは、第２側部２０ｂの内面２１ｂから突出している。内面２１ｂは、第１側部２０ａと対向する面である。第２突出部２０ｅは、内面２１ｂから第１側部２０ａに向かって突出している。図５（ｂ）に示されるように、第２突出部２０ｅは、第２側部２０ｂのＺ方向の他端側に配置されている。図５（ｃ）に示されるように、第２突出部２０ｅは、第２側部２０ｂのＹ方向の中央部に配置されている。本実施形態では、第２突出部２０ｅは、半球状を呈している。すなわち、第１突出部２０ｄと第２突出部２０ｅとは、同じ形状を呈している。第１突出部２０ｄと第２突出部２０ｅとは、互いに対向する位置に配置されている。このような構成により、接続部材２０は、線対称性を有している。
【００２７】
図６に示されるように、第１突出部２０ｄにおける内面２１ａから頂部（頂点）までの長さＴ２は、接続部１０の厚さＴ１よりも長い（Ｔ２＞Ｔ１）。第２突出部２０ｅも同様に、内面２１ｂから頂部までの長さ寸法は、接続部１０の厚さＴ１よりも大きい。第１突出部２０ｄ及び第２突出部２０ｅの長さＴ２は、接続部１０の厚みに応じて適宜設定される。
【００２８】
図５（ｃ）に示されるように、第１突出部２０ｄ（第２突出部２０ｅ）の直径は、直径Ｄである。直径Ｄは、第１端子５の貫通穴５ａ、第２端子７の貫通穴７ａ及び接続部１０の貫通穴１０ａの内径以下である。
【００２９】
続いて、接続部材２０を用いて一方の鉛蓄電池１と他方の鉛蓄電池１とを電気的に接続する方法について説明する。本実施形態では、一方の鉛蓄電池１と他方の鉛蓄電池１とを電気的に直列に接続する形態を一例に説明する。以下では、主として、第１端子５と接続部１０とを接続部材２０で接続する形態について説明する。第２端子７と接続部１０との接続方法も同様である。
【００３０】
最初に、図２に示されるように、一方の鉛蓄電池１と他方の鉛蓄電池１とを、隣り合わせて配置する。次に、図３に示されるように、接続部１０を配置する。具体的には、第１端子５の一方の面と接続部１０の一方の面とを対向させる。そして、一方の鉛蓄電池１の第１端子５の貫通穴５ａに接続部１０の貫通穴１０ａが位置するように接続部１０を配置する。また、他方の鉛蓄電池１の第２端子７の貫通穴７ａに接続部１０の貫通穴１０ｂが位置するように接続部１０を配置する。なお、第１端子５と接続部１０との間及び第２端子７と接続部１０との間には、図示しないスペーサーを配置してもよい。
【００３１】
続いて、図４に示されるように、接続部材２０を取り付ける。具体的には、第１側部２０ａ及び第２側部２０ｂの間の距離が大きくなるように第１側部２０ａ及び第２側部２０ｂを外側に広げた状態で、第１側部２０ａ（第１突出部２０ｄ）と第２側部２０ｂ（第２突出部２０ｅ）との間に第１端子５及び接続部１０を位置させて、第１端子５の上方から接続部材２０を下方に向かって押し込む。接続部材２０は、第１突出部２０ｄ及び第２突出部２０ｅが貫通穴５ａ及び貫通穴１０ａまで到達すると、第１突出部２０ｄ及び第２突出部２０ｅが貫通穴５ａ及び貫通穴１０ａのそれぞれに入り込む。
【００３２】
図６に示されるように、接続部材２０が装着されると、接続部材２０は、第１側部２０ａと第２側部２０ｂとによって、第１端子５と接続部１０とを挟持する。また、第１突出部２０ｄは、接続部１０の貫通穴１０ａ内と、第１端子５の貫通穴５ａ内とにわたって位置する。第２突出部２０ｅは、第１端子５の貫通穴５ａ内に位置する。これにより、接続部材２０が第１端子５及び接続部１０から外れることが防止される。以上により、接続部材２０によって、第１端子５と接続部１０とが接続（固定）される。
【００３３】
以上説明したように、本実施形態に係る接続部材２０は、連結部２０ｃによって連結された第１側部２０ａ及び第２側部２０ｂを備える。これにより、接続部材２０は、第１側部２０ａ及び第２側部２０ｂによって第１端子５（第２端子７）及び接続部１０を挟持できる。鉛蓄電池１同士を接続する場合には、第１端子５（第２端子７）の貫通穴５ａ（貫通穴７ａ）と接続部１０の貫通穴１０ａ（１０ｂ）との位置を合わせる。そして、第１側部２０ａ及び第２側部２０ｂで第１端子５（第２端子７）と接続部１０と挟むように、接続部材２０を取り付ける。これにより、接続部材２０は、第１端子５と接続部１０とが近接する方向に所定の圧力を加える。したがって、接続部材２０は、第１端子５（第２端子７）と接続部１０とを接続（固定）する。
【００３４】
また、接続部材２０は、第１側部２０ａの内面２１ａから突出する第１突出部２０ｄ、及び、第２側部２０ｂから突出する第２突出部２０ｅを備える。第１側部２０ａ及び第２側部２０ｂに設けられた第１突出部２０ｄ及び第２突出部２０ｅは、第１端子５（第２端子７）及び接続部１０の貫通穴５ａ及び１０ａ（１０ｂ）に位置する。これにより、接続部材２０が第１端子５（第２端子７）及び接続部１０から外れることを防止できる。このように、接続部材２０では、ボルト及びナットを用いなくとも、接続部材２０を第１端子５（第２端子７）及び接続部１０に対して装着する作業により、第１端子５（第２端子７）及び接続部１０とを接続できる。したがって、接続部材２０では、複数の鉛蓄電池１を接続する際の作業性の向上が図れる。
【００３５】
本実施形態に係る接続部材２０では、第１突出部２０ｄ及び第２突出部２０ｅは、第１側部２０ａ及び第２側部２０ｂのそれぞれに設けられている。この構成では、第１端子５（第２端子７）と接続部１０とをより確実に接続することができると共に、接続部材２０が外れることをより一層防止できる。
【００３６】
本実施形態に係る接続部材２０では、第１突出部２０ｄ及び第２突出部２０ｅのそれぞれは、同じ形状を呈している。この構成では、接続部材２０を取り付けるときに、接続部材２０の向きを考慮する必要がない。そのため、接続部材２０の取り付けを容易に行うことができる。
【００３７】
本実施形態に係る接続部材２０では、第１突出部２０ｄにおける内面２１ａから頂部まで長さＴ２は、接続部１０の貫通穴１０ａ（１０ｂ）が貫通する接続部１０の厚さＴ１よりも長い（Ｔ２＞Ｔ１）。この構成では、第１突出部２０ｄが接続部１０と第１端子５とにわたって位置する。そのため、第１端子５と接続部１０との位置のずれ等を第１突出部２０ｄによって抑制できる。第２突出部２０ｅが接続部１０と第１端子５とにわたって位置する場合においても同様である。
【００３８】
以上、本発明の実施形態について説明してきたが、本発明は必ずしも上述した実施形態に限定されるものではなく、その要旨を逸脱しない範囲で様々な変更が可能である。
【００３９】
上記実施形態では、１個の接続部１０によって一方の第１端子５（第２端子７）と他方の第１端子５（第２端子７）とを接続する形態を一例に説明した。しかし、図７に示されるように、一方の第１端子５（第２端子７）と他方の第１端子５（第２端子７）との接続には、２個の接続部１０を用いてもよい。この構成では、第１端子５を挟んで一対の接続部１０を配置し、一対の接続部１０を第１側部２０ａ及び第２側部２０ｂによって挟持する。この構成では、一方の第１端子５（第２端子７）と他方の第１端子５（第２端子７）との電気的な接続をより確実に行える。
【００４０】
上記実施形態では、第１側部２０ａに第１突出部２０ｄが設けられており、第２側部２０ｂに第２突出部２０ｅが設けられている形態を一例に説明した。しかし、突出部は、２つの側部のうち、少なくとも一方に設けられていればよい。例えば、図８に示されるように、第１側部２０ａのみに第１突出部２０ｄが設けられていてもよい。この構成では、接続部材２０Ａの第１側部２０ａが接続部１０と対向するように位置させる。これにより、第１突出部２０ｄは、接続部１０の貫通穴１０ａと第１端子５の貫通穴５ａとにわたって位置する。そのため、接続部材２０Ａによって、接続部１０と第１端子５とが接続される。なお、接続部材２０Ａの第２側部２０ｂが接続部１０と対向するように配置してもよい。
【００４１】
図９に示されるように、接続部材２０Ｂにカバー３０を被せてもよい。カバー３０は、接続部材２０Ｂを覆うように設けられる。図１０（ａ）、図１０（ｂ）及び図１０（ｃ）に示されるように、カバー３０は、第１側部３０ａと、第２側部３０ｂと、第３側部３０ｃと、連結部３０ｄと、第１突起部３０ｅと、第２突起部３０ｆと、を備えている。カバー３０は、絶縁性を有する樹脂で形成されている。
【００４２】
カバー３０は、視認し易い色（例えば赤色、青色、黄色等）で着色されていてもよい。例えば、正極に電気的に接続される第１端子５に取り付けられた接続部材２０Ｂには、赤色のカバー３０が被せられる。負極に電気的に接続される第２端子７に取り付けられた接続部材２０Ｂには、青色（又は黒色）のカバー３０が被せられる。これにより、カバー３０が取り付けられている場合であっても、鉛蓄電池１の正極及び負極を容易に認識することができる。そのため、鉛蓄電池１に他の機器を接続する際、極性の認識を誤って短絡等が生じることを回避できる。カバー３０の色は、適宜設定されればよい。
【００４３】
第１側部３０ａ、第２側部３０ｂ及び第３側部３０ｃは、板状の部材である。第１側部３０ａ及び第２側部３０ｂとは、互いに対向している。第３側部３０ｃは、第１側部３０ａと第２側部３０ｂとを連結している。連結部３０ｄは、板状の部材である。連結部３０ｄは、連結部２０ｃは、第１側部２０ａのＺ方向の一端と、第２側部２０ｂのＺ方向の一端と、第３側部３０ｃのＺ方向の一端とを、を連結している。
【００４４】
図１０（ｂ）に示されるように、第１突起部３０ｅは、第１側部３０ａに設けられている。第１突起部３０ｅは、第１側部３０ａの内面３１ａから突出している。具体的には、第１突起部３０ｅは、内面３１ａから第２側部３０ｂに向かって突出している。図１０（ｃ）で示されるように、第１突起部３０ｅは、第１側部３０ａのＹ方向の中央部に配置されている。本実施形態では、第１突出部２０ｄは、半球状を呈している。
【００４５】
図１０（ｂ）に示されるように、第２突起部３０ｆは、第２側部３０ｂに設けられている。第２突起部３０ｆは、第２側部３０ｂの内面３１ｂから突出している。具体的には、第２突起部３０ｆは、内面３１ｂから第１側部３０ａに向かって突出している。図１０（ｃ）に示されるように、第２突起部３０ｆは、第２側部３０ｂのＹ方向の中央部に配置されている。本実施形態では、第２突起部３０ｆは、半球状を呈している。すなわち、第１突起部３０ｅと第２突起部３０ｆとは、同じ形状を呈している。第１突起部３０ｅと第２突起部３０ｆとは、互いに対向する位置に配置されている。
【００４６】
図９に示されるように、接続部材２０Ｂには、第１溝２０ｆ及び第２溝２０ｇが設けられている。第１溝２０ｆは、第１側部２０ａの外面に設けられている。図１１（ａ）に示されるように、第１溝２０ｆは、第１側部２０ａにおいてＹ方向に沿って延在している。図９に示されるように、第２溝２０ｇは、第２側部２０ｂの外面に設けられている。図１１（ａ）に示されるように、第２溝２０ｇは、第２側部２０ｂにおいてＹ方向に沿って延在している。
【００４７】
続いて、接続部材２０Ｂに対するカバー３０の取り付け方法について説明する。図１１（ａ）に示されるように、接続部材２０Ｂを第１端子５及び接続部１０に取り付けた後、カバー３０を用意する。そして、図１０（ｂ）に示されるように、カバー３０の第１突起部３０ｅ（第２突起部３０ｆ）が接続部材２０Ａの第１溝２０ｆ（第２溝２０ｇ）に位置させ、接続部材２０Ｂに対してカバー３０をスライドさせる。これにより、接続部材２０Ｂに対して、カバー３０を確実に取り付けることができる。
【００４８】
以上のように、カバー３０を接続部材２０Ｂに取り付けることにより、接続部材２０Ｂが取り付けられていることを容易に確認できる。カバー３０は、絶縁性の材料からなる。したがって、第１端子５と第２端子７との間で短絡が生じることをカバー３０によって防止できる。
【００４９】
また、接続部材２０Ｂには、第１溝２０ｆ及び第２溝２０ｇが設けられており、カバー３０には、第１溝２０ｆ及び第２溝２０ｇに係合する第１突起部３０ｅ及び第２突起部３０ｆが設けられている。これにより、カバー３０が接続部材２０Ｂから外れることを防止できる。なお、接続部材２０Ｂにおいて、第１溝２０ｆ及び第２溝２０ｇが設けられていなくてもよく、カバー３０において、第１溝２０ｆ及び第２溝２０ｇが設けられていなくてもよい。
【００５０】
上記カバー３０では、図９に示されるように、第１側部３０ａ、第２側部３０ｂ及び第３側部３０ｃが、第１端子５（第２端子７）を覆う形態（下端が第１端子５（第２端子７）の下部に位置する形態）を一例に説明した。しかし、カバー３０は、少なくとも接続部材２０Ｂを覆う構成であってもよい。
【００５１】
上記実施形態では、第１突出部２０ｄ及び第２突出部２０ｅが半球状を呈する形態を一例に説明した。しかし、突出部の形状はこれに限定されない。突出部は、第１端子５の貫通穴５ａ、第２端子７の貫通穴７ａ及び接続部１０の貫通穴１０ａ，１０ｂに挿入され得る形状であればよい。
【００５２】
図１２（ａ）に示されるように、接続部材２０Ｃは、第１突出部２０Ｃｄと、第２突出部２０Ｃｅと、を備えている。第１突出部２０Ｃｄ及び第２突出部２０Ｃｅのそれぞれの断面は、三角形状を呈している。図１２（ｂ）に示されるように、接続部材２０Ｄは、第１突出部２０Ｄｄと、第２突出部２０Ｄｅと、を備えている。第１突出部２０Ｄｄ及び第２突出部２０Ｄｅのそれぞれの断面は、略台形状を呈している。
【００５３】
図１２（ｃ）に示されるように、接続部材２０Ｅは、第１突出部２０Ｅｄと、第２突出部２０Ｅｅと、を備えている。第１突出部２０Ｅｄ及び第２突出部２０Ｅｅのそれぞれの断面は、三角形状を呈している。図１２（ｄ）に示されるように、接続部材２０Ｆは、第１突出部２０Ｆｄと、第２突出部２０Ｆｅと、を備えている。第１突出部２０Ｆｄ及び第２突出部２０Ｆｅのそれぞれの断面は、三角形状を呈している。
【００５４】
上記実施形態では、２つの鉛蓄電池１を電気的に直列に接続する形態を一例に説明した。しかし、鉛蓄電池１同士を並列に接続する場合においても、接続部材２０を用いることができる。
【００５５】
上記実施形態では、鉛蓄電池１が制御弁式鉛蓄電池である形態を一例に説明した。しかし、鉛蓄電池１は、クラッドチューブを有する鉛蓄電池用クラッド式正極を備えるクラッド式鉛蓄電池（クラッド弁式鉛蓄電池）であってもよい。
【符号の説明】
【００５６】
１…鉛蓄電池、５…第１端子、５ａ…貫通穴、７…第２端子、７ａ…貫通穴、１０…接続部、１０ａ，１０ｂ…貫通穴、２０，２０Ａ…接続部材、２０ａ…第１側部、２０ｂ…第２側部、２０ｃ…連結部、２０ｄ…第１突出部、２０ｅ…第２突出部。
【図１】
2019096512.tif 000003
【図２】
2019096512.tif 000004
【図３】
2019096512.tif 000005
【図４】
2019096512.tif 000006
【図５】
2019096512.tif 000007
【図６】
2019096512.tif 000008
【図７】
2019096512.tif 000009
【図８】
2019096512.tif 000010
【図９】
2019096512.tif 000011
【図１０】
2019096512.tif 000012
【図１１】
2019096512.tif 000013
【図１２】
2019096512.tif 000014